(57)【要約】【課題】  設定されたトナー削減率より適応的にトナー載り量を制御することで所望の省トナーを実現する機能。  電子写真方式により形成されたトナー画像を転写紙上に熱定着する画像処理装置であって、プリント品質を維持しつつ任意のトナー削減率の設定を可能にする。【解決手段】  画像データを入力する画像入力手段と、転写紙上に載せる色材量を節約するか否か判定する判定手段と、設定された色材の削減率を読み込む設定読込手段と、色材の削減率を元に、色材の最大載り量値を算出する載り量算出手段と、算出された最大載り量値を元に、対応する画像処理を画像データに施す画像処理手段と、画像処理を施された画像データを出力する画像出力手段とを備えることを特徴とする。【選択図】  図７
2011090091.tif 000002
【特許請求の範囲】
【請求項１】
電子写真方式により形成されたトナー画像を転写紙上に熱定着する定着装置を備える画像処理装置であって、
画像データを入力する画像入力手段（２０１）と、
転写紙上に載せる色材量を節約するか否か判定する判定手段（２０２）と、
前記判定手段の結果を元に、設定された色材の削減率を読み込む設定読込手段（２０３）と、
前記設定読込手段により設定された色材の削減率を元に、色材の最大載り量値を算出する載り量算出手段（２０４）と、
前記載り量算出手段により算出された最大載り量値を元に、対応する画像処理を画像データに施す画像処理手段（２０５）と、
前記画像処理手段より画像処理を施された画像データを出力する画像出力手段（２０６）とを備えることを特徴とする画像処理装置。
【請求項２】
前記載り量算出手段（２０４）において、信号値を載り量値に変換する載り量変換手段（３０１）と、
画像データに対して載り量分布を生成する載り量分布生成手段（３０２）と、
前記設定読込手段（２０３）より読み込まれたトナー削減率を元に、前記載り量分布生成手段（３０２）で求めた載り量分布からトナー削減率を達成できる最大載り量値を算出する最大載り量算出手段（３０３）とを備えることを特徴とする請求項１に記載の画像処理装置。
【請求項３】
前記画像処理手段（２０５）において、前記載り量算出手段（２０４）より算出された最大載り量値を元に、対応する色変換テーブルを色変換テーブル保持手段（４０２）から取得し、画像データに色変換処理を施す色変換手段（４０１）を備えることを特徴とする請求項１に記載の画像処理装置。
【請求項４】
前記画像処理手段（２０５）において、前記載り量算出手段（２０４）より算出された最大載り量値を元に、対応する色変換テーブルを色変換テーブル保持手段（５０２）から複数個取得し、色変換処理を複数回施すことで最大載り量値が異なる複数個の画像データを作成する色変換手段（５０１）と、
前記色変換手段（５０１）で作成した複数個の画像データを組み合わせる色変換合成手段（５０３）を備えることを特徴とする請求項１に記載の画像処理装置。
【請求項５】
前記画像入力手段（２０１）から送信されてきたデータを処理し、図形や文字、イメージデータ等のオブジェクト単位で区別できるよう画像情報を生成する画像情報生成手段（６０４）を備えることを特徴とする請求項１に記載の画像処理装置。
【発明の詳細な説明】
【技術分野】
【０００１】
本発明は、電子写真方式により形成されたトナー画像を転写紙上に熱定着する画像処理装置において、高品位な画像を維持しつつ、トナー消費量を低減した画像記録を可能にするための画像処理方法に関する。
【背景技術】
【０００２】
近年、文字やグラフィックス、イメージなどを取り込んだカラードキュメントを作成し、カラー印刷する機会が増加している。カラー印刷の場合、複数の色材を用いて印刷する為、ランニングコストは高くなる。これに対して、従来のカラープリンタでは、ランニングコストを低減させるために、トナー消費量を減らす機能（省トナーモード）が搭載されている。
【０００３】
しかし、従来の省トナーモードは、画像に対して一律に信号値を減少させる処理や、予め用意された間引きパターンと論理積をとり、トナー付着が必要なドット数が減らす処理で実現している。このため、プリント画像全体で薄い感じになったり、細線や小さい文字が途切れたりと画質が著しく劣化する問題がある。また、画像の一部分（オブジェクト単位）に対してのみトナーセーブをする提案（特許文献１参照）もなされているが、オブジェクトによっては薄い感じの画像になる問題は残る。
【０００４】
この問題に対して従来、トナー付着量が多い高濃度部のみトナー節約方式を適応することで文章全体の可読性を損なわずにトナー節約を可能にするという提案がなされている（特許文献２参照）。これは、トナー付着量が多い高濃度部は、多少付着量を減らしても可読性が損なわれにくい特徴を活かしたものである。
【先行技術文献】
【特許文献】
【０００５】
【特許文献１】特開２００３−０６６７８１号公報
【特許文献２】特開２００１−２１９６２６号公報
【発明の概要】
【発明が解決しようとする課題】
【０００６】
しかしながら、トナー付着量が多い高濃度部のみトナー節約方式を適応すると、トナー付着量が少ない低濃度部のみの画像に対してはトナー節約がなされにくいという問題がある。また、入力画像によってトナー節約率が変動するため、トナー削減率を任意に設定可能までには至らない。
【０００７】
ここ最近では、オフィスにおけるプリンタ運用経費の削減を目的としたアプリケーションソフトや、環境にやさしいエコロジー機能を搭載した複写機などが製品化され注目され始めている。このため、プリント品質を低下させずにトナー使用量を削減する技術や、属性毎にトナー削減率が指定できる技術が求められている。
【０００８】
本発明は上記の課題を鑑みてなされたものであり、プリント品質を維持しつつ任意のトナー削減率の設定を可能にすることを目的とする。
【課題を解決するための手段】
【０００９】
上記目的を達成するために、本発明に係る画像処理装置は、主として以下の構成を備えることを特徴とする。
【００１０】
本発明では、電子写真方式により形成されたトナー画像を転写紙上に熱定着する定着装置を備える画像処理装置であって、
画像データを入力する画像入力手段（２０１）と、
転写紙上に載せる色材量を節約するか否か判定する判定手段（２０２）と、
前記判定手段の結果を元に、設定された色材の削減率を読み込む設定読込手段（２０３）と、
前記設定読込手段により設定された色材の削減率を元に、色材の最大載り量値を算出する載り量算出手段（２０４）と、
前記載り量算出手段により算出された最大載り量値を元に、対応する画像処理を画像データに施す画像処理手段（２０５）と、
前記画像処理手段より画像処理を施された画像データを出力する画像出力手段（２０６）とを備えることを特徴とする画像処理装置。
【発明の効果】
【００１１】
本発明によれば、画質及び文字の認識性を保持しつつ、任意のトナー削減率の設定を可能にする。
【図面の簡単な説明】
【００１２】
【図１】画像処理装置の構成を説明するシステムブロック図
【図２】実施例１のコントローラソフトウェアの構成を説明するブロック図
【図３】載り量算出手段２０４の内部構成を説明するブロック図
【図４】画像処理手段２０５の内部構成を説明するブロック図（１）
【図５】画像処理手段２０５の内部構成を説明するブロック図（２）
【図６】実施例１の例示的な処理フローチャート
【図７】実施例１の例示的な概略図
【図８】載り量算出手段２０４の内部で実行される処理フローチャート
【図９】載り量算出手段２０４の概略図
【図１０】画像処理手段２０５の内部で実行される処理フローチャート（１）
【図１１】画像処理手段２０５の内部で実行される処理フローチャート（２）
【図１２】実施例２のコントローラソフトウェアの構成を説明するブロック図
【図１３】実施例２で用いられる印刷環境設定項目を説明する図
【図１４】実施例２の例示的な処理フローチャート
【発明を実施するための形態】
【００１３】
以下、本発明を実施するための最良の形態について図面を用いて説明する。
【実施例１】
【００１４】
図１は、本発明の一実施形態を示す画像処理装置の基本的な構成を説明するシステムブロック図である。装置例としては、例えばデジタル電子写真複写機、レーザープリンタ、ファクシミリといったトナーを用いた電子写真式のカラーまたはモノクロの画像処理装置に対応する。本発明の一実施形態を示す画像処理装置は、ＣＰＵ１０１、ＲＯＭ１０２、ＲＡＭ１０３、ＨＤＤ１０４、表示部１０５、操作部１０６、エンジンＩ／Ｆ１０７、ネットワークＩ／Ｆ１０８、スキャナＩ／Ｆ１０９、システムバス１１０を備えている。
【００１５】
上述構成を詳述すると、ＣＰＵ１０１は、装置全体の制御及び演算処理等を行う中央処理装置であり、ＲＯＭ１０２に格納されたプログラムに基づき後述に示す各処理を実行する。ＲＯＭ１０２は、読み出し専用メモリであり、システム起動プログラムやプリンタエンジンの制御を行うプログラム及び文字データや文字コード情報等の記憶領域である。ＲＡＭ１０３は、ランダムアクセスメモリであり、使用制限のないデータ記憶領域で、ダウンロードにより追加登録されたフォントデータが記憶したり、様々な処理毎にプログラムやデータがロードされ実行される。また、ＲＡＭ１０３は、受信した画像ファイルのデータ記憶領域として利用することも可能である。ＨＤＤ１０４は、例えばハードディスク等から構成されており、データをスプールしたり、プログラムや各情報ファイル・画像データ等が格納されたり、作業用領域として利用されたりする。表示部１０５は、例えば液晶等による表示を行うものであり、装置の設定状態や、現在の装置内部の処理、エラー状態などの表示に使用される。操作部１０６は、設定の変更やリセットを行うために使用されるものであり、後述のように、印刷する際のトナー削減率の設定も表示部１０５に表示されたＵＩ画面等より操作を可能とする。エンジンＩ／Ｆ１０７は、実際にプリンタエンジンを制御するコマンド等をやり取りする部分である。ネットワークＩ／Ｆ１０８は、該ネットワークＩ／Ｆ１０８を介して本装置をネットワークに接続するためのものである。スキャナＩ／Ｆ１０９は、パラレル（またはシリアル）などを介して画像データを読み込む為のリーダ（スキャナユニット等）と接続されるものである。システムバス１１０は、上述の構造要素間のデータ通路となるべきものである。
【００１６】
図２は本発明の一実施形態を示す画像処理装置のコントローラソフトウェアの概略的な構成を説明するブロック図である。
【００１７】
２０１は画像データを入力する画像入力手段である。ここで、画像データの入力方法は、ＰＣ上でドライバ等を用いてネットワークＩ／Ｆ１０８を通じて送る方法であっても、スキャナユニット等を用いてスキャナＩ／Ｆ１０９を通じて得る方法であっても、その手段は問わない。これより入力された画像データはＲＡＭ１０３に保持される。
【００１８】
２０２は判定手段であり、操作部１０６で設定された値によって、用紙に載せるトナー量を節約するか否か判定する。トナーを節約しない場合は通常の処理に移行する。
【００１９】
２０３は設定読込手段であり、表示部１０５や操作部１０６で設定されたトナー削減率を読み込む。
【００２０】
２０４は載り量算出手段であり、設定読込手段２０３より読み込まれたトナー削減率を元に、トナーの最大載り量値を算出する。載り量算出手段２０４の詳細な説明は後述する。
【００２１】
２０５は画像処理手段であり、載り量算出手段２０４より算出された最大載り量値を元に、色変換処理、γ補正処理、擬似中間調処理を施し、印刷データを作成する。画像処理手段２０５の構成に関しては複数考えられるため、詳細な説明は後述する。
【００２２】
２０６は画像出力手段であり、画像処理手段２０５で作成された印刷データをエンジンＩ／Ｆ１０７を通じて画像処理装置に送ることで出力する。
【００２３】
図３は本発明の一実施形態を示す載り量算出手段２０４の詳細な構成を説明するブロック図である。
【００２４】
３０１は載り量変換手段であり、各々の画素に対して、信号値を載り量値に変換する。
【００２５】
３０２は載り量分布生成手段であり、載り量変換手段で求めた載り量値を元に、載り量分布を生成する。
【００２６】
３０３は最大載り量算出手段であり、設定読込手段２０３で読み込まれたトナー削減率を元に、載り量分布生成手段３０２で求めた載り量分布から最大載り量値を算出する。
【００２７】
図４は本発明の一実施形態を示す画像処理手段２０５の詳細な構成を説明するブロック図である。
【００２８】
４０１は色変換手段であり、ここでは入力画像に対して、対称にしている画像処理装置に適したデータに変換する。
【００２９】
４０２は色変換テーブル保持手段であり、色変換手段４０１で用いられる、最大載り量値に応じた複数の異なる色変換テーブルを格納する。色変換テーブルには、代表的な色変換処理方法の１つである３次元ＬＵＴ（３次元ルックアップテーブル）などが用いられる。この方法は、ＲＧＢデータをＣＭＹＫデータに変換するための対応関係を表す検索表であり、Ｎ×Ｎ×Ｎ個の格子点で構成されるため、格子間隔を十分狭くしておけば、原理的には精度良く色変換を行うことが可能である。ただし、実際にはメモリ容量、処理スピード等の問題から、色変換する点が格子点に当たることは極めて稀なことから、３次元補間処理により、ＣＭＹＫを求めている
４０３はγ補正処理手段であり、色変換手段３０１で処理されたデータに関して濃度特性の補正処理を行う。
【００３０】
４０４は擬似階調処理手段であり、濃度補正されたデータはここで疑似階調処理が施される
図５は本発明の一実施形態を示す画像処理手段２０５の詳細な構成を説明する別の例のブロック図である。
【００３１】
５０１は色変換手段であり、ここでは入力画像に対して、対称にしている画像処理装置に適したデータに変換する。
【００３２】
５０２は色変換テーブル保持手段であり、色変換処理手段５０１で用いられる最大載り量値に応じた複数の異なる色変換テーブルを格納する。
【００３３】
５０３は色変換合成手段であり、色変換手段５０１を用いて、例えばある載り量で色変換処理された画像データと、通常印刷時の載り量で色変換処理された画像データを組み合わせ、中間の載り量で抑えられた画像データを作成する。これにより、色変換テーブル保持手段に格納する色変換テーブルの個数を抑えることができ、色変換テーブルを格納する為に必要なメモリ容量を抑えることができる。また、組み合わせる際の画像データは複数個でも良い。
【００３４】
５０４はγ補正処理手段であり、色変換手段５０１で処理されたデータに関して濃度特性の補正処理を行う。
【００３５】
５０５は擬似階調処理手段であり、濃度補正されたデータはここで疑似階調処理が施される。
【００３６】
図６は、画像処理装置により実行される実施例１の例示的な処理フローチャートである。概略図を図７に示す。
【００３７】
ステップｓ１１において、画像入力手段２０１を用いて、画像データを入力する。取り込んだ画像ファイルは図１のＲＡＭ１０３上に保持しておく。
【００３８】
ステップｓ１２において、判定手段２０２を用いて、紙に載せるトナー量を節約するか否か判定する。このステップで用いる判定材料は、画像処理装置内の表示部１０５を利用して操作部１０６から入力した判定条件に対する設定値である。なおこの場合、実行タイミングとは関係なく印刷環境設定項目の一つとして、常に設定値を保持していても良いし、ウォーミングアップ中に印刷ボタンが押された場合に対話的に現れても良い。
【００３９】
ステップｓ１３において、判定手段２０２で印刷動作を開始しないと判定された場合は通常印刷時の処理で出力する。
【００４０】
ステップｓ１４において、設定読込手段２０３を用いて、トナー削減率を読み込む。このステップで用いる判定材料もステップｓ１３と同様に、画像処理装置内の表示部１０５を利用して操作部１０６から入力した判定条件に対する設定値である。なおこの場合に関しても、実行タイミングとは関係なく印刷環境設定項目の一つとして、常に設定値を保持していても良いし、ウォーミングアップ中に印刷ボタンが押された場合に対話的に現れても良い。また、トナー削減率を指定しない場合は、自動的にデフォルトの設定値を読み込むようにする。
【００４１】
ステップｓ１５において、載り量算出手段２０４を用いて、ステップｓ１４で読み込まれたトナー削減率を元に、最大載り量値を算出する。算出方法の詳細は複雑なため後述する。
【００４２】
ステップｓ１６において、画像処理手段２０５を用いて、載り量算出手段２０４で算出された最大載り量値を元に、画像処理を変更し実行する。画像処理手段２０５の処理フローに関しては複数考えられるため後述する。
【００４３】
ステップｓ１７において、画像出力手段２０６を用いて、画像処理手段２０５で作成された印刷データをエンジンＩ／Ｆ１０７を通じて画像処理装置に送ることで出力する。
【００４４】
図８は、載り量算出手段２０４を用いて、ステップｓ１５の内部で実行される処理フローチャートの一例である。概略図を図９に示す。図８の処理フローに対応する載り量算出手段２０４の詳細な構成は、図３の３０１〜３０３となる。
【００４５】
ステップｄ１１において、載り量変換手段３０１を用いて、各々の画素に対して信号値から載り量値に変換する処理を行う。変換の方法としては、３次元ＬＵＴ（３次元ルックアップテーブル）を用いてＲＧＢ値を載り量値にダイレクトに変換する方法や、１次元ＬＵＴを用いて各色毎（Ｒ、Ｇ、Ｂなど）に載り量値に変換し足し合わせる方法などがある。
【００４６】
ステップｄ１２において、載り量分布生成手段３０２を用いて、載り量分布を作成する。
【００４７】
本発明の画像処理装置は、紙（転写紙）上にトナーを何層も載せることで濃淡を表していると考えることができるので、図９の概略図のように横軸をトナー載り量、縦軸を画素とした載り量分布を生成することができる。このとき注意すべきなのは、例えばある画素の載り量値が１００％である時、前記の載り量分布では載り量範囲［０％〜２５％］、［２５％〜５０％］、［５０％〜７５％］、［７５％〜１００％］のすべてにおいてカウントする点である。これにより、載り量分布の総カウント数はサンプル画像に載せる総トナー量と仮定することができる。
【００４８】
ステップｄ１３において、最大載り量算出手段３０３を用いて、設定読込手段２０３を用いて読み込まれたトナー削減率を元に、載り量分布生成手段３０２で求めた載り量分布からトナー削減率を達成できる最大載り量値を算出する（図９参照）。
【００４９】
図１０は、画像処理手段２０５を用いて、ステップｓ１６の内部で実行される処理フローチャートの一例である。ここでは、予め最大載り量値に対応した色変換テーブルを複数の用意しておく方式について説明する。この方式は、最大載り量値に合わせて最適な色変換テーブルを予め用意することができるので、色再現性が向上し画質が良くなる利点がある。図１０の処理フローに対応する画像処理手段２０５の詳細な構成は、図４で示した４０１〜４０４となる。
【００５０】
ステップｄ２１において、色変換テーブル保持手段４０２を用いて、載り量算出手段２０４より算出された最大載り量値に応じて、色変換テーブルを取得する。
【００５１】
ステップｄ２２において、色変換手段４０１を用いて、ステップｄ２１で取得した色変換テーブルにより、画像データを画像処理装置に適したデータ（ＣＭＹＫ等）に変換する。ここで、取得した色変換テーブルはステップｓ１４で読み込まれたトナー削減率に対応したものになっており、色変換の処理においてトナー削減を達成する。
【００５２】
ステップｄ２３、ｄ２４おいて、γ補正処理手段４０３と擬似階調処理手段４０４を用いて、濃度補正と擬似階調処理を実行する。
【００５３】
図１１は、画像処理手段２０５を用いて、ステップｓ１６の内部で実行される処理フローチャートの別の例である。ここでは、複数の異なる色変換処理を施した画像データを組み合わせ、載り量を制御する方式を説明する。この方式は、載り量算出手段２０４で算出された最大載り量値に応じて、スケーラブルに色変換処理を行う事ができる利点がある。
【００５４】
図１１の処理フローに対応する画像処理手段２０５の詳細な構成は、図５で示した５０１〜５０５となる
ステップｄ３１において、色変換テーブル保持手段５０２を用いて、載り量算出手段２０４で算出された最大載り量値に応じて、あらかじめ用意されている最大載り量値が異なる複数の色変換テーブルを取得する。
【００５５】
ステップｄ３２において、色変換手段５０１を用いて、ステップｄ３１で取得した複数の色変換テーブルにより、色変換処理を複数回実行し、トナー載り量値が異なる複数個の画像データを作成する。例えば、１００％載り量と通常印刷時の載り量の２種類の画像データなどである。
【００５６】
ステップｄ３３において、色変換合成手段５０３を用いて、色変換手段５０１で作成された複数個の画像データを、載り量算出手段２０４で算出されたトナー載り量値に応じて１画素単位で組み合わせる。例えば、ある載り量（１００％等）で色変換処理が施された画像データと、通常印刷時の載り量（２００％等）で色変換処理が施された画像データを、以下の式で組み合わせる。
【００５７】
算出した載量[C,M,Y,K]＝100％載量[C,M,Y,K]＊α＋200％載量[C,M,Y,K]＊β
（ただし、α＋β＝１）
ここで、αとβは載り量算出手段２０４で算出された最大載り量値に応じて決定される。これにより、算出された最大載り量値で抑えられた画像データを作成することができる。
【００５８】
ステップｄ３４、ｄ３５おいて、γ補正処理手段５０４と擬似階調処理手段５０５を用いて、濃度補正と擬似階調処理を実行する。
【００５９】
これにより、実施例１の効果として、設定されたトナー削減率に合わせて入力画像毎に最大トナー載り量値を算出し、算出された最大載り量値に合わせて画像処理を施すことにより、画質及び文字の認識性を保持しつつ、任意のトナー削減率の設定を可能にする。
【実施例２】
【００６０】
本発明の一実施形態を示す画像処理装置の基本的な構成は実施例１と同様である（図１参照）。
【００６１】
図１２は本発明の一実施形態を示す画像処理装置のコントローラソフトウェアの概略的な構成を説明するブロック図である。実施例１のコントローラソフトウェア構成（図２参照）に対して、画像情報生成手段６０４が追加されている点が異なる。以後、詳細を説明する。
【００６２】
６０１は画像データを入力する画像入力手段である。ここで、画像データの入力方法は、ＰＣ上でドライバ等を用いてネットワークＩ／Ｆ１０８を通じて送る方法であっても、スキャナユニット等を用いてスキャナＩ／Ｆ１０９を通じて得る方法であっても、その手段は問わない。これより入力された画像データはＲＡＭ１０３に保持される。
【００６３】
６０２は判定手段であり、操作部１０６で設定された値によって、用紙に載せるトナー量を節約するか否か判定する。トナーを節約しない場合は通常の処理に移行する。
【００６４】
６０３は設定読込手段であり、表示部１０５や操作部１０６を用いて設定されたトナー削減率を読み込む。例えば図１３で示すように、省トナーモードの設定という印刷環境判定項目を用意し、画像処理装置内の表示部１０５と操作部１０６を用いて、ユーザーがオブジェクト単位でトナー削減率を設定できるようにする。この設定値を元に最大載り量値を決定する。
【００６５】
６０４は画像情報生成手段であり、画像入力手段６０１から送信されてきたデータを処理し、図形や文字、イメージデータ等のオブジェクト単位で区別できるよう画像情報を生成する。
【００６６】
６０５は載り量算出手段であり、設定読込手段６０３より読み込まれたトナー削減率を元に、オブジェクト毎にトナーの最大載り量値を算出する。
【００６７】
６０６は画像処理手段であり、載り量算出手段６０５より算出された最大載り量値を元に、色変換処理、γ補正処理、擬似中間調処理を施し、印刷データを作成する。
【００６８】
６０７は画像出力手段であり、画像処理手段２０５で作成された印刷データをエンジンＩ／Ｆ１０７を通じて画像処理装置に送ることで出力する。
【００６９】
上述した６０１〜６０３、６０５〜６０７は、実施例１の２０１〜２０６と同様であるがオブジェクト単位で処理を行う点で異なる。
【００７０】
図１４は、画像処理装置により実行される実施例２の例示的な処理フローチャートである。主なる処理フローは実施例１と同様であるが（図６参照）、ステップｓ２５においてオブジェクト単位で区別できる画像情報の生成が追加されている点で異なる。これにより、オブジェクト単位でトナー削減を行うことができる。以後、詳細を説明する。
【００７１】
ステップｓ２１〜ｓ２３は、実施例１のステップｓ１１〜ｓ１３と同様である。
【００７２】
ステップｓ２４において、設定読込手段６０３を用いて、トナー削減率を読み込む。このとき、トナー削減率はオブジェクト単位で設定する（図１３参照）。
【００７３】
ステップｓ２５において、画像情報生成手段６０４を用いて、画像入力手段６０１から送信されてきたデータを処理し、１ページ内総ての画像データに関して、図形や文字、イメージデータ等のオブジェクト単位で区別できるよう画像情報を生成する。
【００７４】
ステップｓ２６において、載り量算出手段６０５を用いて、ステップｓ２４で読み込まれたトナー削減率を元に、最大載り量値を算出する。算出方法は実施例１のステップｓ１５と同様であるが、オブジェクト単位にそれぞれ載量分布を作成し、ステップｓ２４でオブジェクト単位で設定されたトナー削減率を元に最大載り量値を算出する点で異なる。
【００７５】
ステップｓ２７において、ステップｓ２６で算出された最大載り量値を元に、オブジェクト単位で色変換テーブルを取得もしくは作成し、画像処理を実行する。
【００７６】
ステップｓ２８は実施例１のステップｓ１７と同様である。
【００７７】
これにより、実施例２の効果として、トナー削減率に合わせて入力画像毎に最大トナー載り量値を算出し、算出された最大載り量値に合わせて画像処理を施すことをオブジェクト単位で行う。これにより、オブジェクト単位で画質及び文字の認識性を保持しつつ、任意のトナー削減率の設定を可能にする。
【符号の説明】
【００７８】
１０１  ＣＰＵ
１０２  ＲＯＭ
１０３  ＲＡＭ
１０４  ＨＤＤ
１０５  表示部
１０６  操作部
１０７  エンジンＩ／Ｆ
１０８  ネットワークＩ／Ｆ
１０９  スキャナＩ／Ｆ
１１０  システムバス
２０１  画像入力手段
２０２  判定手段
２０３  設定読込手段
２０４  載り量算出手段
２０５  画像処理手段
２０６  画像出力手段
３０１  載り量変換手段
３０２  載り量分布生成手段
３０３  最大載り量算出手段
４０１  色変換手段
４０２  色変換テーブル保持手段
４０３  γ補正処理手段
４０４  擬似階調処理手段
５０１  色変換手段
５０２  色変換テーブル保持手段
５０３  色変換合成手段
５０４  γ補正処理手段
５０５  擬似階調処理手段
６０１  画像入力手段
６０２  判定手段
６０３  設定読込手段
６０４  画像情報生成手段
６０５  載り量算出手段
６０６  画像処理手段
６０７  画像出力手段
【図１】
2011090091.tif 000003
【図２】
2011090091.tif 000004
【図３】
2011090091.tif 000005
【図４】
2011090091.tif 000006
【図５】
2011090091.tif 000007
【図６】
2011090091.tif 000008
【図７】
2011090091.tif 000009
【図８】
2011090091.tif 000010
【図９】
2011090091.tif 000011
【図１０】
2011090091.tif 000012
【図１１】
2011090091.tif 000013
【図１２】
2011090091.tif 000014
【図１３】
2011090091.tif 000015
【図１４】
2011090091.tif 000016